(57)【要約】【課題】羽根車の回転を良好に円滑化できるとともに、噴射口から噴射された水を羽根車の回転のための水流として有効に利用することができ、また併せて羽根車の回転により断続化されない形で出てしまう水の量を可及的に少なくして、パルスシャワー機能を十全に発揮することのできるパルスシャワー装置を提供する。【解決手段】複数のシャワー孔１８を備えた散水板１６と、軸周りに回転運動する羽根車３６と、噴射水流を羽根車３６の羽根１０２に衝突させ、羽根車３６を回転駆動する水流噴射部材３８と、を含み、羽根車３６の回転によりシャワー孔１８からパルス状に断続吐水するパルスシャワー装置において、水流噴射部材３８の噴射口８８を、羽根車３６よりも外周側の位置で羽根車３６の外周側面に向けて配置するとともに、噴射口８８は、羽根車３６の軸方向の上流側の半部である上位置と、下流側の半部である下位置とのうちの上位置だけに設けておく。【選択図】        図２
2014140549.tif 000002
【特許請求の範囲】
【請求項１】
内面から外面へ貫通した複数のシャワー孔を備えた散水板と、
該散水板の内面の上流側で軸周りに回転運動する羽根車と、
上流部からの水を通過させ、通過水を噴射水流として該羽根車の羽根に衝突させ、該羽根車を回転駆動する水流噴射部材と、
を含み、該羽根車には、散水板内面側の下流部位において該散水板内面に沿って所定周長に亘り延びる形態で設けられ、前記シャワー孔を覆うシャワー孔遮断部と、該散水板内面に向けて開放された形態のシャワー孔開放部と、を周方向に交互に備え、
前記羽根車の回転により前記シャワー孔遮断部及びシャワー孔開放部を前記軸周りに回動運動させて、前記シャワー孔を断続的に遮断及び開放し、該シャワー孔からパルス状に断続吐水するパルスシャワー装置において、
前記水流噴射部材の噴射口を、前記羽根車よりも外周側の位置で該羽根車の外周側面に向けて配置するとともに、該噴射口は、該羽根車の軸方向の上流側の半部である上位置と、下流側の半部である下位置とのうちの上位置だけに設けてあることを特徴とするパルスシャワー装置。
【発明の詳細な説明】
【技術分野】
【０００１】
この発明はシャワー装置に関し、詳しくはシャワー孔からシャワー水をパルス状に断続吐水するパルスシャワー装置に関する。
【背景技術】
【０００２】
従来、シャワー孔を断続的に遮断及び開放することによって、シャワー孔からシャワー水をパルス状に断続吐水するパルスシャワー装置が公知である。
従来において、この種のパルスシャワー装置としては、内面から外面へ貫通した複数のシャワー孔を備えた散水板と、散水板の内面の上流側で軸周りに回転運動する羽根車と、上流部からの水を通過させ、通過水を噴射水流として羽根車の羽根に衝突させ、羽根車を回転駆動する水流噴射部材とを含み、またその羽根車には、散水板内面側の下流部位において散水板内面に沿って所定周長に亘り延びる形態で設けられ、シャワー孔を覆うシャワー孔遮断部と、散水板内面に向けて開放された形態のシャワー孔開放部とを周方向に交互に備えた構造のものが一般的である。
このパルスシャワー装置では、羽根車の回転によりシャワー孔遮断部及びシャワー孔開放部を軸周りに回動運動させてシャワー孔を断続的に遮断及び開放し、シャワー孔からシャワー水をパルス状に断続吐水する。
【０００３】
例えば下記特許文献１には、噴水孔（シャワー孔）(74)を備えたキャップ（散水板）(70)と、その上流側の羽根車(56)とを含み、その羽根車(56)には半周に亘ってシャワー孔遮断部としての覆い板(60)を、また残りの半周に亘ってシャワー孔開放部を備え、羽根(57)への水流の作用により羽根車(56)を回転運動させてシャワー孔遮断部としての覆い板(60)，シャワー孔開放部を軸周りに回動運動させ、シャワー孔を断続的に遮断及び開放し、シャワー水をパルス状に断続吐水する点が開示されている。
【０００４】
また下記特許文献２には、シャワー孔(118)を備えた散水板(58)と、その上流側の羽根車(124)とを含み、その羽根車(124)には半周に亘ってシャワー孔遮断部(130)を、また残りの半周に亘ってシャワー孔開放部を備え、羽根車(124)の回転によりシャワー孔遮断部(130)，シャワー孔開放部を軸周りに回動運動させてシャワー孔(118)を断続的に遮断及び開放し、シャワー水をパルス状に断続吐水する点が開示されている。
【０００５】
ところで特許文献２に開示のものでは、羽根車(124)に対して上流側の上方から羽根車(124)の上面に向けて斜め下向きに水流噴射部材の噴射口から水流を噴射するようにしている。
この場合、羽根車(124)に対して、特にシャワー孔遮断部に対して水流により下向きの力が加わり易い。
【０００６】
他方特許文献１に記載のものでは、羽根車よりも外周側の位置に噴射口（流入口49)を設け、噴射口からの噴射水流を羽根車(56)の外周側面に向けて噴射するようにしている。
このようにした場合、噴射口からの噴射水流により羽根車(56)を下向きに押す力を弱くでき、羽根車(56)の回転を円滑化し易い。
【０００７】
しかしながら特許文献１に記載のものでは、噴射口が、羽根車(56)の軸方向の上流側の半部である上位置と、下流側の半部である下位置とにまたがって大きく開口しており、この場合、噴射口から出た水が羽根車と散水板との間の隙間に流れ込み易い。
【０００８】
而して噴射口からの水が羽根車と散水板との間の隙間に流れ込んでしまうと、その水は羽根車を回転させるための水として利用されないのと同時に、その隙間に流れ込んだ水がそのまま散水板のシャワー孔から外部に吐水されてしまう。
即ち羽根車の回転により断続化されない形でシャワー孔から出てしまうことになる。
そのようになると、パルスシャワー装置が本来のパルスシャワー吐水の機能を十分に発揮できなくなる。
【先行技術文献】
【特許文献】
【０００９】
【特許文献１】特開平５−１１５５２０号公報
【特許文献２】特開２０１２−１３５６０６号公報
【発明の概要】
【発明が解決しようとする課題】
【００１０】
本発明は以上のような事情を背景とし、羽根車の回転を良好に円滑化できるとともに、噴射口から噴射された水を羽根車の回転のための水流として有効に利用することができ、また併せて羽根車の回転により断続化されない形で出てしまう水の量を可及的に少なくして、パルスシャワー機能を十全に発揮することのできるパルスシャワー装置を提供することを目的としてなされたものである。
【課題を解決するための手段】
【００１１】
而して請求項１のものは、内面から外面へ貫通した複数のシャワー孔を備えた散水板と、該散水板の内面の上流側で軸周りに回転運動する羽根車と、上流部からの水を通過させ、通過水を噴射水流として該羽根車の羽根に衝突させ、該羽根車を回転駆動する水流噴射部材と、を含み、該羽根車には、散水板内面側の下流部位において該散水板内面に沿って所定周長に亘り延びる形態で設けられ、前記シャワー孔を覆うシャワー孔遮断部と、該散水板内面に向けて開放された形態のシャワー孔開放部と、を周方向に交互に備え、前記羽根車の回転により前記シャワー孔遮断部及びシャワー孔開放部を前記軸周りに回動運動させて、前記シャワー孔を断続的に遮断及び開放し、該シャワー孔からパルス状に断続吐水するパルスシャワー装置において、前記水流噴射部材の噴射口を、前記羽根車よりも外周側の位置で該羽根車の外周側面に向けて配置するとともに、該噴射口は、該羽根車の軸方向の上流側の半部である上位置と、下流側の半部である下位置とのうちの上位置だけに設けてあることを特徴とする。
【発明の作用・効果】
【００１２】
以上のように本発明は、水流噴射部材の噴射口を、羽根車よりも外周側の位置で羽根車の外周側面に向けて配置するとともに、その噴射口を、羽根車の軸方向の上流側の半部である上位置と、下流側の半部である下位置とのうちの上位置だけに設けたもので、本発明によれば、噴射口から噴射された水流のうち、羽根車の羽根に当らずに即ち羽根車を回転させることなく羽根車と散水板との間の隙間に流入して、羽根車の回転により断続化されることなくそのままシャワー孔から出てしまう水の量を可及的に少なくすることができる。
これによりパルスシャワー装置の断続吐水即ちパルスシャワー吐水の機能を十全に発揮させることができる。
【００１３】
本発明ではパルスシャワー装置を以下のように構成することができる。
即ち請求項１において、(ａ)羽根車の上流部且つ平面視の中央部で軸方向の水の流れを生ぜしめる第１水室と、(ｂ)第１水室に続いて下流側に設けられ、第１水室からの軸方向の水の流れを平面視で羽根車の外周側に向う流れに変換する第２水室と、(ｃ)羽根車よりも外周側の位置で羽根車を取り巻く状態に設けられ、第２水室からの水の流れを当てて水流の向きを羽根車の外周側面に向う流れに反転させる環状壁部と、を含み、水流噴射部材の噴射口は環状壁部と羽根車の外周側面との間に位置させてあり、また第２水室には、羽根車の外周側に向う水の流れを旋回流とする、羽根車の部分螺旋形状の羽根とは平面視で逆向きの部分螺旋形状をなす水流の案内羽根が設けてあるとともに、上記噴射口は、平面視で前記旋回流と同じ側に傾いた斜孔となしたパルスシャワー装置となしておくことができる。
【００１４】
このようにすることで次の利点が得られる。
第１に、特許文献１に開示のものでは、軸方向に流れた水が直接噴射口から羽根車に向う噴射水流となるために、また噴射口が大きく開口しているために、その噴射水流がある程度軸方向の流れの力を維持した水流となり易く、その分羽根車を下向きに押す力が残り易い。
しかるに上記パルスシャワー装置では、第１水室からの軸方向の流れが第２水室によって平面視で羽根車の外周側に向う流れとなった後、環状壁部に当ることで反転して羽根車の外周側面に向う流れとなり、そのような流れが噴射口を通じて羽根車の外周側面に噴射される噴射水流となるため、噴射水流により羽根車を下向きに押す力を効果的に弱くすることができると同時に、噴射水流の力を羽根車を回すための力として有効に働かせることができ、羽根車を効率高く回転運動させることができる。
【００１５】
第２に、第２水室では平面視で羽根車の外周側に向う流れが旋回流とされ、その旋回流を維持したまま環状壁部及び噴射口を通じて羽根車の羽根に噴射水流を当てることができるため、水流の力をより有効に羽根車の回転駆動力として働かせることができる。
【図面の簡単な説明】
【００１６】
【図１】本発明の一実施形態のシャワーヘッドを示した図である。
【図２】図１のシャワーヘッドの内部構造を示した図である。
【図３】図２の要部を更に拡大した図である。
【図４】図２のシャワーヘッドの構成部品を分解して示した斜視図である。
【図５】図４で示したシャワーヘッドの構成部品の断面図である。
【図６】図４の羽根車ユニットを更に分解して示した図である。
【図７】同羽根車ユニットを組付状態で示した図である。
【図８】図４の旋回流生成部材を異なった方向で示した図である。
【図９】（Ａ）図６における羽根車の上面の形状を示した図である。（Ｂ）同羽根車の底部の下面の形状を示した図である。
【図１０】（Ａ）図２のイ−イ断面図である。（Ｂ）図２のロ−ロ断面図である。
【図１１】同実施形態の羽根車ユニットの組付方法を示した図である。
【発明を実施するための形態】
【００１７】
次に本発明の実施形態を図面に基づいて詳しく説明する。
図１において、１０はシャワーヘッド（パルスシャワー装置）で、１２はその握り部、１４は頭部、１６は頭部１４に設けられた散水板である。
散水板１６には、その内面から外面（下面）へ貫通した多数のシャワー孔１８が、４重の同心円をなすように設けられている。
図中１８-１は最外周のシャワー孔を、１８-２はその次の内周側のシャワー孔を、１８-３は更にその次の内周側のシャワー孔を、１８-４は最内周のシャワー孔をそれぞれ示している。
【００１８】
図２に、シャワーヘッド１０における頭部１４の内部構造が具体的に示してある。
図２に示しているようにシャワーヘッド１０の頭部１４は、上ケース２０と、上ケース２０の図中下端の開口部を閉鎖する下ケースとしてのキャップ２２とを有している。
上ケース２０は円筒形状の周壁部２４を有しており、そこに雌ねじ部が設けられている。
一方キャップ２２は円筒形状の立上り部２６を有しており、そこに雄ねじ部が設けられている。
キャップ２２は、それら雄ねじ部と雌ねじ部とにより、上ケース２０に対してねじ結合されている。
【００１９】
図２〜図５に頭部１４の内部構造が詳しく示してある。
図２，図４及び図５に示しているように、頭部１４の内部にはノズルシート２８，リング状のパッキン３０，羽根車ユニット３２及び旋回流生成部材３４が組み込まれている。
ここで羽根車ユニット３２は、図２及び図３に示しているように羽根車３６と、これを内部に収める羽根車ハウジング３８とを有している。
また羽根車ハウジング３８は、ノズルシート押えを兼ねたハウジング本体４０と、蓋体４２とから成っている。
【００２０】
この実施形態において、ノズルシート２８，パッキン３０を除く他の各部材、詳しくは上ケース２０，キャップ２２，羽根車ユニット３２における羽根車３６，羽根車ハウジング３８及び旋回流生成部材３４の何れもが硬質の樹脂製とされている。
【００２１】
この実施形態において、散水板１６は、キャップ２２の底部４４と、これに重ねられたノズルシート２８のシート部４６と、更にこれに重ねられたハウジング本体４０の底部４８との３重積層構造で構成されている。
【００２２】
ノズルシート２８はゴム製（他のエラストマー材料から成るものであっても良い）であり、このノズルシート２８はシート部４６と、シート部４６から下向きに突き出した多数のノズル部５０とを有しており、各ノズル部５０が、樹脂製のキャップ２２の底部４４に形成された挿通孔５２を挿通して、それぞれの先端部が下向きに突き出している。
これら複数のノズル部５０は、内部にノズル孔１８Ａを有しており、それらノズル孔１８Ａによってシャワー孔１８の下部を形成している。
ここでノズル孔１８Ａは孔径がφ０．８ｍｍである。
【００２３】
ノズルシート２８のシート部４６は、図３及び図４に示しているように図中下面が下向きに凸、図中上面が下向きに凹となるような湾曲形状をなしており、そしてその下面から直角に立下る形状で、各ノズル部５０がシート部４６に一体に形成されている。
これに対応して上記のノズル押えを兼ねたハウジング本体４０は、その下面がノズルシート２８におけるシート部４６の凹曲面に対応した凸曲面を成している。
ハウジング本体４０の底部４８には、ノズル孔１８Ａと連通し、上記のシャワー孔１８の上部を形成する多数の連通孔１８Ｂが底部４８を貫通して設けられている。
【００２４】
図２において、上ケース２０にはその中央部に円筒部５４が設けられており、その内部に有底円筒形状をなす樹脂製の水路形成部材５６が組み込まれている。
円筒部５４にはまた、旋回流生成部材３４の中央部において上向きに立上る円筒部５８が挿入されており、それら水路形成部材５６と円筒部５８とによって、その内側に水路６０からの水を流入させる流入室（第１水室）６２が形成されている。
ここで流入室６２は、平面視で後述の羽根車３６の中央部に図中上下向きに設けられている。
【００２５】
旋回流生成部材３４は、中心側から外周側に向って下向きに穏やかに傾斜した後、軸線と直交方向（軸直角方向）に平坦形状で拡がる上壁部６４と、上壁部６４の外周端で下向きに立下る円筒形状の環状壁部６６とを有しており、それら上壁部６４と羽根車ハウジング３８の蓋体４２との間に、旋回流を生成させるための水室（第２水室）６８を形成している。
【００２６】
この水室６８内には、旋回流生成部材３４の上壁部６４から立下り、その内周端から外周端に向って部分螺旋形状で延びる固定の案内羽根７０が設けられており、その案内羽根７０が、羽根車ハウジング３８における蓋体４２の上面に当接せしめられている。
旋回流生成部材３４は、水路６０から流入室６２内に流入して、流入室６２を図中下向きに軸方向に流れた水を水室６８内で軸直角方向の流れに変え、これを自身の外周側且つ後述の羽根車３６の外周側（平面視で外周側）へと流動させる。
【００２７】
その際に、部分螺旋形状をなす案内羽根７０の整流及び案内作用によって、外周側に向って軸直角方向に流れる水の流れを旋回流とする。
旋回流生成部材３４の環状壁部６６は、羽根車ハウジング３８よりも外周側に位置しており、水室６８内を外周側に向って流れた水、詳しくは上記の旋回流を当接させる。
環状壁部６６へと当接した水の流れは、流れの向きを内向きに反転させて羽根車３６の外周側面へと向う流れとなり、後述の噴射口８８（図７参照）を通じて羽根車ハウジング３８の内部へと勢い良く流入する。
【００２８】
羽根車ユニット３２は、羽根車ハウジング３８の内側に水室（第３水室）７２を形成しており、そこに羽根車３６を回転可能に収容している。
羽根車ハウジング３８は、上記のようにハウジング本体４０と蓋体４２とに分かれている。ハウジング本体４０は散水板１６の内面構成部材であって、上記のようにノズル押えを兼ねて構成されている。
ハウジング本体４０は、円筒状の周壁部７４と底部４８とを有し、上端が開放された形状の部材で、その上端の開放部が蓋体４２にて閉鎖されている。
このハウジング本体４０には、底部４８の中心部にこれを貫通する結合部としての固定孔７６が設けられている。
【００２９】
一方蓋体４２には、その中心部から立下る軸部７８が設けられている。この軸部７８には、更にその下側に結合部としての弾性掛止爪８０が設けられており、この弾性掛止爪８０が、ハウジング本体４０の上記の固定孔７６に挿入されて固定孔７６に弾性掛止されている。そして固定孔７６に対する弾性掛止爪８０の掛止によって蓋体４２とハウジング本体４０とが結合され、組み付けられている。
【００３０】
詳しくは、図１１に示すように後述する保持穴１０６にボール１０８を保持した羽根車３６を内部に収容する状態で、羽根車ハウジング３８のハウジング本体４０と蓋体４２とが結合され、それらボール１０８，羽根車３６，羽根車ハウジング３８のハウジング本体４０及び蓋体４２が組み付けられて１つの組付体、即ちユニットを構成している。
【００３１】
この実施形態において、蓋体４２，羽根車３６，ハウジング本体４０は何れも白色で且つ透光性であり、一方ボール１０８は暗色、ここでは黒色で且つ非透光性である。
従って、羽根車ハウジング３８の内部にボール１０８を保持した羽根車３６を収容した状態の羽根車ユニット３２を光に向けてかざすことで、保持穴１０６内にボール１０８が保持されていることを光の加減でハウジング外部から目視で確認することが可能である。
【００３２】
図９，図１０に羽根車３６の具体的な形状が示してある。
図に示しているように羽根車３６は、中心部に円筒状の嵌合部１００を有しており、この嵌合部１００が、羽根車ハウジング３８における蓋体４２の中心部の軸部７８に嵌合せしめられている（図２，図３参照）。
羽根車３６は、これら軸部７８と嵌合部１００との嵌合に基づいて、軸部７８周りに回転運動せしめられる。
尚、嵌合部１００は他部よりも僅かに図３中下向きに突出せしめられていて、その突出部においてハウジング本体４０の内面に当接し、回転時における羽根車３６の全体を、後述するようにボール１０８とともに支持するようになっている。
【００３３】
図９，図１０に示しているように羽根車３６は、中心側から外周側に向って部分螺旋形状で延びる羽根１０２を周方向に一定ピッチで多数有している。これら羽根１０２は、図１０に示しているように旋回流生成部材３４における上記の案内羽根７０とは、平面視で逆方向の部分螺旋形状をなすように設けられている。
羽根車３６はまた、周方向に１２０°ごと異なった３個所にボール保持部１０４を有している。
これらボール保持部１０４は、後述のシャワー孔遮断部１１０に、詳しくはシャワー孔遮断部１１０Ｂ-１，１１０Ｂ-２，１１０Ｂ-３に１つずつ設けられている。
このボール保持部１０４は、図２及び図３，図９（Ｂ）に示すように、散水板１６内面（即ちハウジング本体４０内面）に向けて開口した保持穴１０６を内側に有していて、そこに樹脂製で硬質のボール１０８を保持している。
【００３４】
ボール１０８は、保持穴１０６からその下部が僅かに図３中下向きに突出しており、その突出部分において羽根車ハウジング３８におけるハウジング本体４０の底部４８内面（散水板１６の内面）に転動可能に当接せしめられている。
ここで保持穴１０６の内面は略部分球面状をなしている。但しその内面及び図中下端の開口の大きさはボール１０８よりも僅かに大きい。
【００３５】
羽根車３６における散水板１６内面側の下流部位には、ハウジング本体４０の底部４８内面に沿って所定周長で延び、羽根車３６の図中下面を部分的に閉鎖するシャワー孔遮断部１１０が設けられている。
シャワー孔遮断部１１０は底部４８の連通孔１８Ｂ、即ちシャワー孔１８を覆ってこれを遮断作用する。
羽根車３６にはまた、シャワー孔遮断部１１０を除いた部分において、ハウジング本体４０の底部４８内面に向けて開放された（但し羽根１０２，後述の連結部１０９，１１１，１１３を除く）シャワー孔開放部１１２が設けられている。
ここでシャワー孔遮断部１１０に位置する羽根１０２は、シャワー孔遮断部１１０の図中上面に設けられている。
【００３６】
一方シャワー孔開放部１１２に設けられている羽根１０２は、周方向に延びるリブ状の連結部、詳しくは最外周の連結部１０９，これよりも内周側の連結部１１１及び更に内周側の連結部１１３にて互いに連結されている。
ここで連結部１０９，１１１，１１３は、何れも同心の円弧形状をなしている。
【００３７】
この実施形態では、連結部１１３に対して内周側のシャワー孔遮断部はシャワー孔遮断部１１０Ａの１つだけであるのに対して、これよりも外周側ではシャワー孔遮断部１１０Ｂ-１，１１０Ｂ-２，１１０Ｂ-３の３つのシャワー孔遮断部が設けられている。
同様に内周側のシャワー孔開放部はシャワー孔開放部１１２Ａの１つだけであるのに対して、外周側にはシャワー孔開放部１１２Ｂ-１，１１２Ｂ-２，１１２Ｂ-３の３つのシャワー孔開放部が設けられている。
シャワー孔開放部１１２に位置する羽根１０２の一部は、付根側の部分がアーム１１４とされており、かかるアーム１１４において中心部の円筒状の嵌合部１００に繋がっている。
【００３８】
この実施形態において、シャワー孔開放部１１２Ａ，１１２Ｂ-１，１１２Ｂ-２，１１２Ｂ-３は、周方向に隣接する羽根１０２と１０２との間に形成される空間、詳しくはここでは周方向に隣接する羽根１０２と連結部１０９，１１１，１１３との間に形成される空間（つまりそれらによって区画された空間）ｋの何れもが、平面視で空間ｋの中心を通る何れの方向においてもボール１０８の外径よりも大きくされている。
即ち各空間ｋは、ボール１０８が通過可能な大きさとされている。
【００３９】
図６及び図７に示しているように、ハウジング本体４０における周壁部７４には、その上端部且つ内周側に、外周側の部分に対して段違い形状で図中上向きに突出した、周方向に環状をなす内嵌部８２が設けられている。
一方蓋体４２には、外周部に図中下向きに曲り形状をなす曲り部８４が設けられている。
この曲り部８４の外周側の部分は環状の外嵌部８６とされており、この外嵌部８６がハウジング本体４０における上記の内嵌部８２に対して外嵌状態に嵌合せしめられている。
【００４０】
この蓋体４２の曲り部８４には、環状壁部６６に当接して内向きの流れとなった水流を通過させる噴射口８８が、周方向に一定ピッチで多数設けられている。
即ち羽根車３６よりも外周側の位置且つ環状壁部６６よりも内周側の位置に、多数の噴射口８８が設けられている。
以上の説明から明らかなように、この実施形態では蓋体４２を含む羽根車ハウジング３８が上流部からの水を通過させ、その通過水を噴射水流とする水流噴射部材として構成されている。
ここで噴射口８８は、曲り部８４の外面で開口している。図７（Ｂ）中９０はその開口を示している。
【００４１】
これら噴射口８８は、羽根車３６の外周側面に向けて配置されており、従って環状壁部６６で内向きの流れとなった水流は、噴射口８８を通じて羽根車３６の外周側面に向けて勢い良く噴射される。
その噴射水流は、羽根車３６の羽根１０２に勢い良く当って羽根車３６を回転駆動する。
【００４２】
これら噴射口８８は、図１０（Ｂ）に示しているように蓋体４２の曲り部８４及びハウジング本体４０の周壁部７４における周方向に対して傾斜した斜孔とされている。
ここで噴射口８８の傾斜の向きは、旋回流を生じながら環状壁部６６に当って内向きの流れとなった水流を、その旋回流を維持させつつ水室７２内の羽根車３６に噴射するように定められている。
即ち噴射口８８の傾斜の向きは、平面視で水室６８内の旋回流と同じ側に傾斜した斜孔とされている。
【００４３】
本実施形態において、上記の噴射口８８は、羽根車３６の軸方向の上流側の半部である上位置と、下流側の半部である下位置とのうちの上位置だけに設けてある。
従って本実施形態によれば、噴射口８８から噴射された水流のうち、羽根車３６の羽根１０２に当ることなく図２中下向きに流れて、羽根車３６とハウジング本体４０の底部との間の隙間に流入し、そしてそのままシャワー孔１８から流出する水の量を可及的に少なくすることができる。
これにより、噴射口８８からの噴射水流を羽根車３６の羽根１０２に効率高く当てることができる。
【００４４】
尚図６に示しているように、蓋体４２には周方向に１８０°隔たった２個所に位置決凸部９２が設けられている。
一方ハウジング本体４０の周壁部７４には、対応する位置に位置決凹部９４が設けられている。
蓋体４２とハウジング本体４０とは、それら位置決凸部９２と位置決凹部９４との凹凸嵌合により、周方向に位置決めされている。
【００４５】
図８に示しているように、旋回流生成部材３４にもまた同様に位置決凹部９６が設けられており、その位置決凹部９６に対する蓋体４２の位置決凸部９２の凹凸嵌合に基づいて、蓋体４２と旋回流生成部材３４とが周方向に位置決めされている。即ち羽根車ハウジング３８が、旋回流生成部材３４に対して周方向に位置決めされている。
【００４６】
尚この実施形態では、図２においてキャップ２２を上ケース２０に上向きにねじ込むと、旋回流生成部材３４がリング状のパッキン３０を介して図中上向きに押し上げられ、そして上ケース２０の円筒部５４に当接する状態に固定され、組み付けられる。
またこのとき、羽根車ユニット３２における羽根車ハウジング３８が旋回流生成部材３４の固定の案内羽根７０に当って、キャップ２２の底部４４とともに挟み込まれ、羽根車ハウジング３８が固定される。
このときノズルシート２８には、その挟み込みの力によってノズル押えを兼ねたハウジング本体４０から下向きの力が加わり、ノズルシート２８がキャップ２２の底部４４に対して下向きに押圧される。
【００４７】
尚図４において、リング状のパッキン３０には樹脂製のメッシュ材から成る環状シート９８が設けられており、組付状態でこの環状シート９８が、最外周のシャワー孔１８-１を覆う位置で散水板１６の内面に、詳しくはノズルシート２８におけるシート部４６の内面に重ねられている。
【００４８】
次に本実施形態のパルスシャワー装置の作用を説明する。
本実施形態のパルスシャワー装置では、図２の水路６０から流入室６２内に流入した水は、流入室６２内を同図中下向きに軸方向に流れた後、旋回流生成部材３４にて形成される水室６８内で軸直角方向外向きの流れにその向きが変えられる。
即ち中央部の軸方向の水流は、旋回流生成部材３４の水室６８内で軸直角方向外向きの流れとなり、その際に水室６８内の案内羽根７０による作用によって、その外向きの流れが旋回流とせしめられる。
【００４９】
その外向きの旋回流は、環状壁部６６に当って、その向きが軸直角方向内方へと反転され、水流噴射部材として働く羽根車ハウジング３８の噴射口８８から羽根車３６の外周側面に対してその外周側の側方から噴射される。
その噴射水流は、図１０のＰ方向の旋回流を維持しながら羽根車３６における部分螺旋形状の羽根１０２の凹曲面に向けて当り、羽根車３６を回転駆動する。
【００５０】
詳しくは、羽根車３６を羽根車ハウジング３８のおける蓋体４２の軸部７８周りに回転運動させる。このとき羽根車３６は、周方向３個所に設けたボール１０８によるベアリング作用によって円滑に軸部７８周りに回転運動する。
そしてその回転運動によってシャワー孔遮断部１１０及びシャワー孔開放部１１２を軸部７８周りに回動させ、これによってシャワー孔１８を遮断及び開放し、水室７２を通過してシャワー孔１８から流出するシャワー水をパルス状に断続吐水させる。
【００５１】
以上のような本実施形態では、噴射口８８から噴射された水流のうち、羽根車３６の羽根１０２に当らずに即ち羽根車３６を回転させることなく羽根車３６と散水板１６との間の隙間に流入して、羽根車３６の回転により断続化されることなくそのままシャワー孔１８から出てしまう水の量を可及的に少なくすることができる。
これによりパルスシャワー装置の断続吐水即ちパルスシャワー吐水の機能を十全に発揮させることができる。
【００５２】
また本実施形態では、第１水室６２からの軸方向の流れが第２水室６８によって平面視で羽根車３６の外周側に向う流れとなった後、環状壁部６６に当ることで反転して羽根車３６の外周側面に向う流れとなり、そのような流れが噴射口８８を通じて羽根車３６の外周側面に噴射される噴射水流となるため、噴射水流により羽根車３６を下向きに押す力を効果的に弱くすることができると同時に、噴射水流の力を羽根車３６を回すための力として有効に働かせることができ、羽根車３６を効率高く回転運動させることができる。
【００５３】
更に、第２水室６８では平面視で羽根車３６の外周側に向う流れが旋回流とされ、その旋回流を維持したまま環状壁部６６及び噴射口８８を通じて羽根車３６の羽根１０２に噴射水流を当てることができるため、水流の力をより有効に羽根車３６の回転駆動力として働かせることができる。
【００５４】
以上本発明の実施形態を詳述したがこれはあくまで一例示であり、本発明はその趣旨を逸脱しない範囲において種々変更を加えた形態で構成可能である。
【符号の説明】
【００５５】
１６  散水板
１８  シャワー孔
３６  羽根車
３８  羽根車ハウジング（水流噴射部材）
４２  蓋体
６６  環状壁部
８８  噴射口
１０２  羽根
１１０  シャワー孔遮断部
１１２  シャワー孔開放部
【図１】
2014140549.tif 000003
【図２】
2014140549.tif 000004
【図３】
2014140549.tif 000005
【図４】
2014140549.tif 000006
【図５】
2014140549.tif 000007
【図６】
2014140549.tif 000008
【図７】
2014140549.tif 000009
【図８】
2014140549.tif 000010
【図９】
2014140549.tif 000011
【図１０】
2014140549.tif 000012
【図１１】
2014140549.tif 000013